(57)【特許請求の範囲】
【請求項１】
セラック、ポリ塩化ジメチルメチレンピペリジニウム、及び、アクリルアミド・アクリル酸・塩化ジメチルジアリルアンモニウム共重合体を配合してなることを特徴とするパーマネントウェーブ用第１剤。
【請求項２】
ｄｌ−ピロリドンカルボン酸ナトリウム及び尿素を有することを特徴とする請求項１に記載のパーマネントウェーブ用第１剤。
【発明の詳細な説明】
【０００１】
【発明の属する技術分野】
本発明は、パーマネントウェーブ用第１剤に関する。
【０００２】
【従来の技術】
パーマネントウエーブ技術において、小さいウェーブはしっかりとかけることが比較的に容易であるが、美しい大きいウェーブをしっかりとかけることは困難である。
【０００３】
すなわち、くっきりと立体感のある大きなウェーブを得ようとして、太い径のロッドを用いると、「しっかり」したウェーブとならず、だれてしまう。
さらに、ウエット時（洗髪後タオルなどで過剰な水分を除去した状態）でははっきりしたウェーブが出ていても、ドライ時（自然乾燥による乾燥時）にはウェーブがだれてしまうと云う問題もあった。
【０００４】
このような問題を解決し、しなやかで、くっきりと立体感のあるしっかりとした大きなウェーブがかかることを理想とし、それを実現するために今日までにさまざまなパーマネントウェーブ薬剤が提案されてきた。
【０００５】
ここで、パーマネントウェーブ用第１剤は、毛髪のシスチン結合を還元して切断するという重要な働きを有するが、シスチン結合の還元が不充分であると、しっかりとしたウェーブが実現できず、一方、第１剤が過剰作用すると、毛髪がちり付くなど、思い通りのウェーブが得られず、質感が低下してしまう。
【０００６】
【発明が解決しようとする課題】
本発明は、上記した従来の問題点を改善する、すなわち、ごわつかず、しなやかで、かつ、くっきりと立体感のあるしっかりとした大きなウェーブを形成することができるパーマネントウェーブ用第１剤を提供することを目的とする。
【０００７】
【課題を解決するための手段】
本発明のパーマネントウェーブ用第１剤は上記課題を解決するため、請求項１に記載の通り、セラック、ポリ塩化ジメチルメチレンピペリジニウム、及び、アクリルアミド・アクリル酸・塩化ジメチルジアリルアンモニウム共重合体を配合してなるパーマネントウェーブ用第１剤である。
【０００８】
このような構成によって、大きく、かつ、くっきりと立体感のあるしっかりとしたウェーブを髪の毛に与えることができ、さらにそのとき、ごわつきがなくしなやかな髪質に仕上げることができる。
【０００９】
なお、本発明のパーマネントウェーブ用第１剤において、請求項２に記載のようにｄｌ−ピロリドンカルボン酸ナトリウム及び尿素を配合することによりさらにくっきりと立体感のあるウェーブで、しなやかでごわつかない質感とすることが可能となる。
【００１０】
【発明の実施の形態】
本発明において用いるセラックはラックカイガラ虫が分泌する天然樹脂で、分子量３００〜３０００の低分子量エステルの混合物で、アルカリ性下で水溶性、皮膜形成能を有する。毛髪内部に浸透し、酸性ないし中性で不溶化し、皮膜形成して毛髪にまとまりと弾力を付与し、大きくしっかりとしたウェーブを毛髪に付与する。
【００１１】
本発明のパーマネントウェーブ用第１剤への配合量は０．００１重量％以上１０重量％以下の範囲となるようにすることが望ましい。配合量が０．００１重量％未満であると効果が発現しにくく、１０重量％超であると添加量増加に伴う効果向上が飽和するとともに、仕上がりの質感にごわつきが生じやすい。より好ましい配合量の範囲は０．０１重量％以上５重量％以下である。なお、セラックは水溶液等の形状で日本シェラック工業株式会社などから入手可能である。
【００１２】
一方、ポリ塩化ジメチルメチレンピペリジニウムは塩化ジメチルジアリルアンモニウムのカチオン性高分子であり、アクリルアミド・アクリル酸・塩化ジメチルジアリルアンモニウム共重合体とともに相乗的な、毛髪に対するコンディション作用を有し、櫛どおりを高め、しなやかな質感を付与する。ポリ塩化ジメチルメチレンピペリジニウムはカルゴン社などから水溶液として入手可能である。
【００１３】
その配合量は純量が０．０１重量％以上１０重量％以下の範囲となるようにすることが望ましい。配合量が０．０１重量％未満であると効果が発現しにくく、一方、１０重量％超であると添加量増加に伴う効果向上が飽和するとともに、ウェーブが弱くなりやすい。より好ましい配合量の範囲は０．１重量％以上５重量％以下である。
【００１４】
また、アクリルアミド・アクリル酸・塩化ジメチルジアリルアンモニウム共重合体は塩化ジメチルジアリルアンモニウム、アクリル酸、及びアクリルアミドの３成分を共重合した両性高分子であり、それぞれのユニットの含量は通常、塩化ジメチルジアリルアンモニウムが３５〜６０重量％、アクリル酸が１０〜３５重量％、及びアクリルアミドが１５〜４５重量％である。
【００１５】
アクリルアミド・アクリル酸・塩化ジメチルジアリルアンモニウム共重合体は上記ポリ塩化ジメチルメチレンピペリジニウムとともに相乗的な、毛髪に対するコンディション作用を有し、櫛どおりを高め、しなやかな質感を付与する。
配合量は０．００１重量％以上１０重量％以下の範囲になるようにすることが望ましい。０．００１重量％以下であると添加の効果が発現しにくく、一方１０重量％超であると添加量増加に伴う効果向上が飽和するとともに、ウェーブが弱くなりやすい。より好ましい配合量の範囲は０．０１重量％以上５重量％以下である。
このようなアクリルアミド・アクリル酸・塩化ジメチルジアリルアンモニウム共重合体は水溶液としてカルゴン社等から入手可能である。
【００１６】
本発明のパーマネントウェーブ用第１剤は上記セラック、ポリ塩化ジメチルメチレンピペリジニウム、及び、アクリルアミド・アクリル酸・塩化ジメチルジアリルアンモニウム共重合体の他に、ｄｌ−ピロリドンカルボン酸ナトリウム及び／あるいは尿素を有することことにより、より大きい効果を得ることができる。
【００１７】
すなわち、ｄｌ−ピロリドンカルボン酸ナトリウムはＮＭＦ（天然保湿因子）の一つであり、湿潤作用を有する。配合量は０．０１重量％以上２０重量％以下の範囲になるようにすることが望ましい。０．０１重量％以下であると添加の効果が発現しにくく、一方、２０重量％超であると添加量増加に伴う効果向上が飽和するとともに、ウェーブが弱くなりやすい。より好ましい配合量の範囲は０．１重量％以上１０重量％以下である。
このようなｄｌ−ピロリドンカルボン酸ナトリウムは水溶液として味の素株式会社などから入手可能である。
また、尿素は同様にＮＭＦの１つであり、湿潤、毛髪膨潤作用を有し、パーマ剤成分の浸透を助け、作用効率を高める。
尿素の配合量は０．０１重量％以上２０重量％以下の範囲になるようにすることが望ましい。０．０１重量％以下であると添加の効果が発現しにくく、一方、２０重量％超であると添加量増加に伴う効果向上が飽和するとともに、ウェーブが弱くなりやすい。より好ましい配合量の範囲は０．１重量％以上１０重量％以下である。
【００１８】
本発明のパーマネントウェーブ用第１剤は上記に記載の通り、セラック、ポリ塩化ジメチルメチレンピペリジニウム、アクリルアミド・アクリル酸・塩化ジメチルジアリルアンモニウム共重合体、ｄｌ−ピロリドンカルボン酸ナトリウム、及び、尿素の他に、通常のパーマネントウェーブ用第１剤に含まれている薬剤、すなわち還元剤、膨潤剤、浸透剤、増粘剤、油脂類、湿潤剤、乳化剤、抗炎症剤、コンディショニング剤、界面活性剤（カチオン性、アニオン性、両性または非イオン性などの高分子又は低分子の界面活性剤）、タンパク加水分解物、アミノ酸、育毛剤、防腐剤、金属イオン封鎖剤、香料、色素、水などを適宜添加し、さらに通常アルカリ剤（アンモニア水等）などを添加してｐＨが４ないし１０、好ましくは６ないし１０になるように調整する。
【００１９】
上記で用いる還元剤としてはチオグリコール酸、チオグリコール酸アンモニウム等のチオグリコール酸塩、システイン、システイン塩酸塩などのシステイン酸塩、Ｎ−アセチルシステインなどのシステイン誘導体、チオ硫酸またはその塩、システアミンまたはその塩、チオグリセリルアルキルエーテル、メルカプトアルキルアミド、亜流酸塩、亜硫酸水素塩より選ばれた１種または２種以上を用いることができる。これら還元剤は通常、１重量％以上２０重量％、好ましくは２重量％以上１１重量％以下となるよう配合する。
【００２０】
【実施例】
以下に本発明のパーマネントウェーブ用第１剤について具体的に説明する。
表１に示した薬剤を用い、表２及び表３に示す配合（重量比、純量換算）のパーマネントウェーブ用第１剤１７種を調製した。
【００２１】
【表１】
0003825655.tif 000002
【００２２】
【表２】
0003825655.tif 000003
【００２３】
【表３】
0003825655.tif 000004
【００２４】
これら１７種類のパーマネントウェーブ用第１剤の評価を行った。
化学的に処理されていない毛髪をサンプルとして、毛髪束（毛髪２０本、長さ２５０ｍｍ）をロッド（ロッド径：１５ｍｍ、２３ｍｍあるいは２６ｍｍ）に均一に巻き付け、それぞれのパーマ剤第１剤を均一に塗布した後、室温下、容器に入れて密閉して放置した。１５分経過後、容器から取り出して水洗した後、表４に示す配合比（純量）で調整したパーマ剤第２剤を均一に塗布し、室温で１０分間放置する。その後、さらに水洗し、ロッドから毛髪を丁寧に取り外し、そのＳＰ値を測定した。
【００２５】
【表４】
0003825655.tif 000005
【００２６】
ここでＳＰ値とは「しっかりとしたウェーブ」の目安の値であり、ウエーブ処理を行った毛髪は毛根側を上にして吊したとき、図１に示すように毛根端から２周期目の周期長さを２ｙ（山と谷との間の長さをｙ）、山と谷との差（幅）をｘとしたとき次式（１）で求めることができる。
【００２７】
【数１】
ＳＰ値 ＝ ｘ／ｙ × １００              ……（１）
【００２８】
このＳＰ値が５０以上であると非常にくっきりと立体感のあるウェーブとしての印象が、４５以上５０未満であるとややくっきりと立体感のあるウェーブとしての印象が、４０以上４５未満であるとややだれたウエーブとしての印象が、そして４０未満であるとだれたウエーブとしての印象が、それぞれ得られる。そこでこれらをそれぞれ、◎、○、△及び×として評価した。
【００２９】
また、Ｗ／Ｄ差についても評価した。Ｗ／Ｄ差とは乾燥後までしっかりしたウェーブが持つかの目安であり、ドライ時（自然乾燥後の状態）のＳＰ値及びウェット時（洗浄後にタオルで過剰な水分を拭き取ったときの状態）のＳＰ値から次式（２）により求められる。
【００３０】
【数２】
Ｗ／Ｄ差 ＝ ドライ時のＳＰ値／ウェット時のＳＰ値 × １００    ……（２）
【００３１】
このＷ／Ｄ差が９０以上であるとウェット時のドライ時のウェーブの印象の差が極めて少ないので「◎」と、８０以上９０未満のときにはウェット時のドライ時のウェーブの印象の差が少しあるので「○」、７０以上８０未満の場合にはウェット時のドライ時のウェーブの印象の差がやや大きいので「△」、さらに７０未満の場合にはウェット時のドライ時のウェーブの印象の差がかなり大きいので「×」として評価した。
【００３２】
さらに、風合いについても評価した。これは実際に手触りによって毛髪の感触を評価し、しなやか、滑らかで非常によいときを「◎」、良いときには「○」、やや悪いときには「△」、明らかに悪いときには「×」として評価した。
これらの評価結果を表２及び表３に併せて示す。
【００３３】
表２及び表３により本発明のパーマネントウェーブ用第１剤は大きい径のロッドを用いた場合であってもくっきりと立体感のあるしっかりしたウェーブを与えることができ、さらにそれらウェーブはドライ後も確実に保持され、かつ、良好な風合いが得られることが判る。
【００３４】
【発明の効果】
本発明のパーマネントウェーブ用第１剤は、くっきりと立体感のある大きいしっかりしたウェーブを得ることができ、しかもそれらウエーブはドライ後も確実に保持され、かつ、ごわつきがなくしなやかで良好な風合いが得られる優れたパーマネントウェーブ用第１剤である。
【図面の簡単な説明】
【図１】ＳＰ値を求める場合の説明図である。
【図１】
0003825655.tif 000006